(57)【要約】【課題】傾斜した段差を有する物品をコンパクトに収納して、容易に封緘でき、効率よく積み上げることができる梱包箱を提供する。【解決手段】高段部、段差部及び低段部を有する一対の側面板１と、これに対して直角をなす高低一対の端面板２とを連設し、対向する側面板１から高段板４、段差板５及び低段板６を延出し、段差板５を高段板４及び低段板６に対して傾斜させ、背の高い端面板２から延びる折曲片７で高段板４を、高段板４から延びる折曲片８で段差板５を、背の低い端面板２から延びる折曲片７で低段板６をそれぞれ受け止め、一方の段差板５及び低段板６の折目線９，１０に沿った屈曲に伴い係止片１１を係止穴１２に差し込み、屈曲の復元に伴い段差板５同士及び低段板６同士を係合させて封緘する。【選択図】図５
2009154961.tif 000002
【特許請求の範囲】
【請求項１】
高段部、段差部及び低段部を有する一対の側面板(1)と、これに対して直角をなす高低一対の端面板(2)とを連設し、側面板(1)の高低差に対応して高段板(4)、段差板(5)及び低段板(6)を設けた段差付き梱包箱において、
対向する側面板(1)から高段板(4)、段差板(5)及び低段板(6)を延出し、段差板(5)を高段板(4)及び低段板(6)に対して傾斜させ、背の高い端面板(2)から延びる折曲片(7)で高段板(4)を、高段板(4)から延びる折曲片(8)で段差板(5)を、背の低い端面板(2)から延びる折曲片(7)で低段板(6)をそれぞれ受け止め、段差板(5)同士及び低段板(6)同士を係合させて封緘することを特徴とする段差付き梱包箱。
【発明の詳細な説明】
【技術分野】
【０００１】
この発明は、例えば便器等、段差を有する形状の物品を梱包する梱包箱に関するものである。
【背景技術】
【０００２】
従来、和式便器を収納する段差付き梱包箱として、下記特許文献１には、図８及び図９に示すように、高段部、段差部及び低段部を有する一対の側面板５１と、これに対して直角をなす高低一対の端面板５２とを連設し、側面板５１の高低差に対応して高段板５３、段差板５４及び低段板５５を設け、段差板５４を高段板５３及び低段板５５に対し直立させたものが記載されている。
【０００３】
この梱包箱の段差板５４は、一方の側面板５１の段差部に連設され、他方の側面板５１に先端の継代片５６を貼り付けて、対向する側面板５１の間に架け渡す。
【０００４】
高段板５３は、背の高い端面板５２及び段差板５４に連設され、側面板５１の高段部から延びる折曲片５７で受け止めて、粘着テープ等で固定する。
【０００５】
低段板５５は、他方の側面板５１の低段部に連設され、背の低い端面板５２から延びる折曲片５８で受け止めて、粘着テープ等で固定する。
【０００６】
【特許文献１】実開昭５６−１１３６８１号公報
【発明の開示】
【発明が解決しようとする課題】
【０００７】
しかしながら、上記のような梱包箱では、物品を収納して封緘する際、接着剤や粘着テープを用いて固着すべき箇所が多数あることから、物品の梱包作業に手間がかかるという問題がある。
【０００８】
また、収納する物品が小便器の場合、側壁が下方へかけて迫り出すように傾斜していることから、高段板の部分を相対的に大きく設定する必要があり、高段板と段差板の内側角部に無駄な空間が生じることとなる。
【０００９】
さらに、高段板の部分が低段板の部分より大きくなれば、複数個の梱包箱を交互に上下反転して、嵩張らないように積み上げることができなくなり、輸送や保管に要するコストが上昇するという問題が生じる。
【００１０】
そこで、この発明は、傾斜した段差を有する物品をコンパクトに収納して、容易に封緘でき、効率よく積み上げることができる梱包箱を提供することを課題とする。
【課題を解決するための手段】
【００１１】
上記のような課題を解決するため、この発明は、高段部、段差部及び低段部を有する一対の側面板と、これに対して直角をなす高低一対の端面板とを連設し、側面板の高低差に対応して高段板、段差板及び低段板を設けた段差付き梱包箱において、対向する側面板から高段板、段差板及び低段板を延出し、段差板を高段板及び低段板に対して傾斜させ、背の高い端面板から延びる折曲片で高段板を、高段板から延びる折曲片で段差板を、背の低い端面板から延びる折曲片で低段板をそれぞれ受け止め、段差板同士及び低段板同士を係合させて封緘することとしたのである。
【発明の効果】
【００１２】
この発明に係る梱包箱では、段差板が高段板及び低段板に対して傾斜しているので、傾斜した段差を有する物品を無駄な空間を生じることなくコンパクトに梱包でき、段差板同士及び低段板同士を係合させて、封緘を容易に行なうことができる。
【００１３】
そして、封緘状態において、高段板及び低段板が折曲片で支持され、段差板も高段板から延びる折曲片で支持されるだけでなく、段差板の係合部分の幅を大きく設定して、段差板同士を確実に係合させることができるので、梱包強度を確保できる。
【００１４】
また、複数個の梱包箱を積み上げる際、交互に上下反転して効率よく積み上げることができ、上下の梱包箱の段差の傾斜面間に生じた隙間に手を入れることができるので、積み降ろし作業を容易に行なうことができる。
【発明を実施するための最良の形態】
【００１５】
以下、この発明の実施形態を添付図面に基づいて説明する。
【００１６】
この梱包箱は、小便器を梱包するものであり、図１に示すような段ボールのブランクから形成される。このブランクでは、側面板１及び端面板２が各一対交互に連設され、一方の側面板１の外側には継代片３が連設されている。
【００１７】
側面板１の上端は、高低差を有し、その高段部及び低段部は水平とされ、これらに対し鈍角をなすように段差部は傾斜している。この高段部には高段板４が、段差部には段差板５が、低段部には低段板６がそれぞれ連設されている。
【００１８】
一対の側面板１の高段部に挟まれた端面板２は背が高く、他方の側面板１の低段部に繋がる端面板２は背が低く、これらの端面板２の上端には、折曲片７が連設されている。高段板４の一側には、段差板５の側縁へ向けて三角状の折曲片８が連設されている。
【００１９】
一方の側面板１に繋がる段差板５及び低段板６には、先端部に２本の平行な折目線９，１０が幅方向に向けて入れられ、先端から突出した係止片１１と、先端に対して離れた折目線１０から基端側へ向けて切り込まれた係止片１１とが設けられている。折目線９，１０は、切目を断続的に入れたリード罫とされている。
【００２０】
他方の側面板１に繋がる段差板５及び低段板６には、係止穴１２が設けられ、係止穴１２には、中間側が膨出する一対の弧状縁が形成されている。
【００２１】
端面板２の下端には内底板１３が、側面板１の下端には外底板１４が、それぞれ通常の溝切型段ボール箱と同様に連設されている。このブランクの上端は、効率よく材料の段ボールを利用できるように、一対の高段板４及び折曲片８と、その間の折曲片７と、係止穴１２を有する段差板５の先端とが直線状に揃えて切断されている。
【００２２】
上記のようなブランクを組み立てて小便器を梱包するには、図２に示すように、一対の側面板１及び端面板２を角筒状に折り曲げ、継代片３を反対側の端面板２に貼り付けて周壁を形成し、内底板１３及び外底板１４を折り重ね、粘着テープ等で底面を閉止する。
【００２３】
そして、箱内に小便器を寝かせて収納し、図３に示すように、高段部側の折曲片７を内側へ折り曲げ、一対の高段板４を折り曲げてこの折曲片７で受け止め、折曲片８を斜め下方へ折り曲げ、段差板５を折り曲げて折曲片８で受け止める。また、低段部側の折曲片７を内側へ折り曲げ、一対の低段板６を折り曲げてこの折曲片７で受け止める。
【００２４】
このとき、係止片１１を有する段差板５及び低段板６の先端部が、係止穴１２を有する段差板５及び低段板６の先端部の外側に重なるようにする。
【００２５】
次に、図４に示すように、外側の段差板５及び低段板６の折目線１０より先端側を、折目線１０に沿って起こし、折目線１０から下方へ突出した係止片１１を係止穴１２の一方の弧状縁に係合させる。
【００２６】
その後、図５に示すように、この段差板５及び低段板６の折目線９より先端側を、折目線９に沿って下方へ折り曲げ、先端の係止片１１を係止穴１２の他方の弧状縁に係合させると、段差板５及び低段板６の先端部の屈曲の復元に伴い、この梱包箱は封緘され、小便器Ｕの梱包が完了する。
【００２７】
上記のような梱包箱では、図５及び図６に示すように、段差板５が高段板４及び低段板６に対して傾斜しているので、小便器Ｕのように傾斜した段差を有する物品を無駄な空間を生じることなくコンパクトに梱包でき、段差板５同士及び低段板６同士を係合させて、封緘を容易に行なうことができる。
【００２８】
そして、封緘状態において、高段板４及び低段板６が端面板２から延びる折曲片７で支持され、段差板５も高段板４から延びる折曲片８で支持されるだけでなく、段差板５の係止片１１及び係止穴１２の幅を大きく設定して、段差板５同士を確実に係合させることができるので、梱包強度を確保できる。
【００２９】
また、図７に示すように、複数個の梱包箱を積み上げる際、交互に上下反転して効率よく積み上げることができ、上下の梱包箱の段差の傾斜面間に生じた隙間に手を入れることができるので、積み降ろし作業を容易に行なうことができる。
【００３０】
なお、段差板５同士及び低段板６同士を係合させる手段としては、上記のようなもののほか、係止片を縮めるように折り曲げつつ係止穴に差し込み、折曲の復元に伴い係止片が係止穴から抜け止めされて、係合状態が維持されるもの等を用いてもよい。
【図面の簡単な説明】
【００３１】
【図１】この発明に係る段差付き梱包箱のブランクを示す図
【図２】同上の組立過程を示す斜視図
【図３】同上の封緘過程を示す斜視図
【図４】同上の封緘過程を示す斜視図
【図５】同上の封緘状態を示す斜視図
【図６】同上の封緘状態の縦断側面図
【図７】同上の複数個の梱包箱の積上状態を示す斜視図
【図８】従来の段差付き梱包箱の封緘過程を示す斜視図
【図９】同上の封緘状態を示す斜視図
【符号の説明】
【００３２】
１  側面板
２  端面板
３  継代片
４  高段板
５  段差板
６  低段板
７，８  折曲片
９，１０  折目線
１１  係止片
１２  係止穴
１３  内底板
１４  外底板
Ｕ  小便器
【図１】
2009154961.tif 000003
【図２】
2009154961.tif 000004
【図３】
2009154961.tif 000005
【図４】
2009154961.tif 000006
【図５】
2009154961.tif 000007
【図６】
2009154961.tif 000008
【図７】
2009154961.tif 000009
【図８】
2009154961.tif 000010
【図９】
2009154961.tif 000011